(57)【要約】【課題】移動する表示装置に対して簡単且つ確実に給電を行うことができる移動式表示装置を提供する。【解決手段】第１レール１０と第２レール２０とを互いに平行に配置し、第１レール１０を走行可能な第１ランナ１２からパネル３０を吊下げ、第２レール１２を走行可能な第２ランナ２２に電源線４０を保持させて第２ランナ２２から電源線４０を吊下げ、電源線４０の端部をパネル３０に接続し、パネル３０の移動に連動して第２ランナ１２が移動して電源線４０を引出しまたは畳込み可能とし、パネル３０に支持される表示装置５０に電源線４０を介して給電可能とした。【選択図】図１
2014004689.tif 000002
【特許請求の範囲】
【請求項１】
第１レール（１０）と第２レール（２０）とを互いに平行に配置し、第１レール内を走行可能な第１ランナ（１２）を配し、第１ランナからパネル（３０）を吊下げ、第２レールを走行可能な第２ランナ（２２）を配し、第２ランナに電源線（４０）を保持させて第２ランナから電源線を吊下げ、電源線の端部をパネルに接続し、パネルの移動に連動して第２ランナが移動して電源線を引出しまたは畳込み可能とし、パネルに支持される表示装置（５０）に電源線を介して給電可能としたことを特徴とする移動式表示装置。
【請求項２】
第２ランナから吊下げられた電源線の少なくとも一部を収容するための収容部（４２）をパネルの移動範囲に対応して設けることを特徴とする請求項１記載の移動式表示装置。
【請求項３】
パネルの背面（３０ｂ）に、電源線の運動を規制し、電源線を第２ランナの方向に誘導する拘束部材（４４）を設けることを特徴とする請求項１または２記載の移動式表示装置。
【発明の詳細な説明】
【技術分野】
【０００１】
本発明は、電子黒板、テレビ、プロジェクタ等の表示装置を移動可能にした移動式表示装置に関する。
【背景技術】
【０００２】
従来の移動式表示装置としては、特許文献１に示されるものが知られている。これに示されるものは、壁面に下面開放のガイドレールを取り付け、このガイドレールに、黒板、ホワイトボード、テレビ、電子ボード、スクリーン、掲示板等のボード取付用ハンガーもしくはプロジェクタ取付用ハンガーを設けたマルチ壁面移動支持体をスライド可能に吊支している。黒板等のメインボードに対して、横方向に移動可能にサブボード若しくはプロジェクタを設ける場合に、黒板等のメインボードにガイドレールを設けるのではなく、壁にガイドレールを設けるため、黒板等のメインボードに拘束されることなく設置の自由度を確保して、サブボード若しくはプロジェクタの移動を行うことを可能にしている。
【０００３】
また、間仕切り空間内で使用される電気機器へ給電する位置を任意としたものとして、特許文献２に示されるものが知られている。これに示されるものは、パネルの上端部から天井レール内へ上昇するとともに水平方向に回転可能な接電端子がパネルに備えられている一方、給電用導体が天井レール内に備えられており、接電端子が天井レール内にて回転して給電用導体と接触することにより、接電端子に接続されているパネル内配線が給電状態となるものである。
【０００４】
しかしながら、この特許文献２の給電構造においては、給電用導体を天井レールの全域に亘り配置しなければならず、パネルに対して接電端子を上下動可能にする必要があるために、構成が複雑で高コストであり、また、レール内での給電用導体の腐食・断線のおそれがあるため、メンテナンスが必要であるという問題がある。
【先行技術文献】
【特許文献】
【０００５】
【特許文献１】特開２０１２−５６２７０公報
【特許文献２】特開２００２−１５５６７８公報
【発明の概要】
【発明が解決しようとする課題】
【０００６】
本発明はかかる課題に鑑みなされたもので、移動する表示装置に対して簡単且つ確実に給電を行うことができる移動式表示装置を提供することをその目的とする。
【課題を解決するための手段】
【０００７】
前述した目的を達成するために、請求項１記載の発明は、第１レールと第２レールとを互いに平行に配置し、第１レール内を走行可能な第１ランナを配し、第１ランナからパネルを吊下げ、第２レールを走行可能な第２ランナを配し、第２ランナに電源線を保持させて第２ランナから電源線を吊下げ、電源線の端部をパネルに接続し、パネルの移動に連動して第２ランナが移動して電源線を引出しまたは畳込み可能とし、パネルに支持される表示装置に電源線を介して給電可能としたことを特徴とする。
【０００８】
請求項２記載の発明は、請求項１記載の発明において、第２ランナから吊下げられた電源線の少なくとも一部を収容するための収容部をパネルの移動範囲に対応して設けることを特徴とする。
【０００９】
請求項３記載の発明は、請求項１または２記載の発明において、パネルの背面に、電源線の運動を規制し、電源線を第２ランナの方向に誘導する拘束部材を設けることを特徴とする。
【発明の効果】
【００１０】
本発明によれば、パネルの移動に電源線が連動しており、パネルの位置に応じて電源線が引出されまたは畳込まれるために、パネルに支持される表示装置への給電を確実に行うことができる。電源線は、第２レールに沿って走行可能な第２ランナに吊下げられるため、大掛かりな工事が不要であり、給電可能なパネルを低コストで構成することができる。
【００１１】
収容部がパネル移動範囲に亘って設けられる場合、第２ランナに吊下げられた電源線の垂れ下がりが大きい場合でも、垂れ下がった電源線の少なくとも一部が収容部に収容されるため、安全性が確保されるとともに意匠性を良好にすることができる。
【００１２】
拘束部材を設ける場合、パネルの移動に拘らず、電源線を第２ランナの方へと誘導するために、電源線に無理な力がかかることがないようにすることができる。
【図面の簡単な説明】
【００１３】
【図１】本発明の実施形態に係る移動式表示装置の側面図である。
【図２】移動式表示装置の上方及び下方部分の側断面図である。
【図３】第２ランナによる電源線の支持状態を示す正面図である。
【図４】移動式表示装置の使用時の状態を示し、（ａ）は正面図であり、（ｂ）はレールや電源線などの図示を省略した平面図である。
【図５】移動式表示装置の収納時の状態を示し、（ａ）は正面図であり、（ｂ）はレールや電源線などの図示を省略した平面図である。
【発明を実施するための形態】
【００１４】
図１ないし図５に基づいて本発明の実施形態に係る移動式表示装置を説明する。
【００１５】
本発明の実施形態は学校等の教室に装置を設けた例としており、教室において、その床面６５の前側に教壇６４が設置され、教壇６４の上方には、教室の前壁面６０に黒板８０が設置されている。そして、本発明の実施形態による移動式表示装置は、黒板８０の代わりにまたは黒板８０と共に使用される表示装置としての電子黒板５０を有している。尚、表示装置としては、電子黒板５０に限らず、テレビ、プロジェクタといった任意の電気で作動する表示装置とすることができる。
【００１６】
移動式表示装置は、互いに平行に配設される第１レール１０及び第２レール２０と、第1レール１０を走行可能な複数の第１ランナ１２と、第１ランナ１２から吊り下げられるパネル３０と、第２レール２０を走行可能な複数の第２ランナ２２と、第２ランナ２２に保持される電源線４０と、パネル３０の移動範囲に亘って設けられ電源線４０の少なくとも一部を収容する収容部４２と、パネル３０の背面に設けられ電源線４０を拘束する拘束部材４４と、パネル３０に支持される電子黒板５０と、を備えている。
【００１７】
第１レール１０は、黒板８０よりも手前側の位置において天井面６２に固定されており、教室の側壁面６１から黒板８０の左右方向略中央位置まで延設されている（図４（ａ）参照）。第１レール１０は、図示したように天井面６２裏側に埋設するか、または天井面６２の表側に設けることができる。そして、第１レール１０内には第１ランナ１２が走行可能に配設されており、第１ランナ１２の下端は第１レール１０から下方に突出してパネル３０の上端に連結されている。
【００１８】
パネル３０は、第１ランナ１２から吊り下げられて、教壇６４よりもやや上方の位置まで上下方向に延びている。その前面３０ａにはコンセント３４が設けられており、パネル３０の背面３０ｂには電源線４０が電気的に接続されるジョイントボックス３６が設けられている。コンセント３４とジョイントボックス３６とは内部電源線３８によって接続されている。
【００１９】
パネル３０の前面３０ａには電子黒板５０が支持されて、電子黒板５０の電源コード５２はパネル３０の前面３０ａに設けられるコンセント３４に接続されている。電子黒板５０の両側部には、それぞれ上下方向２か所にハンドル５４が、また、下部にはハンドル５６が設けられており、ハンドル５４を持って電子黒板５０を左右方向に引っ張ることにより第１ランナ１２を第１レール１０内で走行させて、パネル３０を移動させて、電子黒板５０の左右方向の位置決めをすることができる。また、任意には、電子黒板５０はパネル３０に対して上下方向に移動可能に支持されていてもよく、ハンドル５６を持って電子黒板５０を上下方向に引っ張って、電子黒板５０の上下方向の位置決めを行ってもよい。
【００２０】
パネル３０の下部の移動方向両側部近傍にはそれぞれ、パネル３０の背面３０ｂから前壁面６０方向に突出してキャスター７０が配設されている。また、キャスター７０と対向する位置の前壁面６０には、パネル３０の移動範囲にわたって帯状の受け部材７２が固定されており、パネル３０の移動時には、キャスター７０の車輪が受け部７２上を走行するようになっている。
【００２１】
また、パネル３０の背面３０ｂには、図２に示すように、ロック部材７４が上下方向に移動可能に設けられており、ロック部材７４が下方に移動すると、教壇６４に密着してパネル３０を教壇６４に固定し、上方に移動すると、教壇６４から離隔してパネル３０の下端の移動を自由にするようになっている。
【００２２】
第２レール２０は、前壁面６０に近接して天井面６２に固定されており、第１レール１０と同様に側壁面６１から黒板８０の左右方向略中央位置まで延設されている。第２レール２０内には多数の第２ランナ２２が走行可能に配設されており、第２ランナ２２の下端は第２レール２０から下方に突出したフック２２ａになっている。フック２２ａは、鈎型挟持具と、鈎型挟持具の開口を開閉可能に塞ぐ板バネとから構成され、各第２ランナ２２のフック２２ａの鈎型挟持具が電源線４０の一部を挟持し、板バネが電源線４０の脱落を防止しており、各第２ランナ２２は電源線４０をほぼ等間隔で保持している。
【００２３】
収容部４２は、第２レール２０と黒板８０との間に位置し、前壁面６０に固定されて、前壁面６０と共に有底空間を画成している。収容部４２の上端４２ａはフック２２ａの若干下方の高さ位置にあり、収容部４２の底部４２ｂは最も垂れ下がった状態の電源線４０の下端よりも若干下方の高さ位置にある。また、収容部４２は第２レール２０と同じ長さを有してパネル３０の移動範囲に対応しており、これにより、電源線４０が引出しまたは畳込みされているいかなる状態においても、電源線４０のフック２２ａからの垂れ下がり部分の少なくとも一部を前記空間内に収容して覆い隠すことができるようになっている。
【００２４】
電源線４０の一端は側壁面６１に設けられ商用電源と導通するコンセント６６に接続されており、他端はパネル３０の背面３０ｂのジョイントボックス３６に接続されている。これによりパネル３０の前面３０ａのコンセント３４は電源線４０を介して商用電源に導通される。
【００２５】
拘束部材４４は、図２に示すように、その断面形状が略直角三角形となっており、直角をなす２辺のうちの１辺４４ａがジョイントボックス３６の上部に当接するようにパネル３０の背面３０ｂに固定され、他方の１辺４４ｂが天井面６２と対面するように配置されている。電源線４０の他端は、ジョイントボックス３６に接続される前に、直角をなす２辺４４ａ、４４ｂに沿って配回されて、拘束部材４４の最もフック２２ａ寄りの部分において、可撓性の連結部材４６によって拘束部材４４に固定される。これにより、パネル３０に牽引されて電源線４０が引出しまたは畳込みされているいかなる状態においても、電源線４０のパネル３０の背面３０ｂからの離反位置を一定として第２ランナ２２の方向へ電源線４０を誘導し、電源線４０の不要な運動を規制し、ジョイントボックス３６に接続されている電源線４０の他端に無理な力が掛ることを防止することができる。
【００２６】
任意には、図５に示すように、教室内には、パネル３０の収納用の被覆壁６８を設けることができる。被覆壁６８は電子黒板５０を覆うことができる大きさであり、被覆壁６８の３辺はそれぞれ側壁面６１、天井面６２及び床面６５に固定される。これにより、被覆壁６８、前壁面６０、側壁面６１、天井面６２及び床面６５によって画成される収納空間６９に、不使用時にパネル３０、電源線４０及び電子黒板５０が収納される。
【００２７】
次に、本実施形態の作用について説明する。
【００２８】
図５に示すように、パネル３０が収納位置にある状態では、全ての第２ランナ２２が図５（ａ）中右端部寄りに位置しており、電源線４０が畳込まれて収納された状態となっている。また、図５（ｂ）に示すように、電子黒板５０は被覆壁６８によって覆い隠されている。これにより、電子黒板５０やパネル３０に何かが衝突したり、生徒が悪戯したりすることを防止することができる。
【００２９】
また、電源線４０のフック２２ａから垂れ下がった部分は収容部４２に収容されているため、仮に誰かが収納空間６９に侵入したとしても、電源線４０の垂れ下がった部分に何かが引っかかったり、ぶら下がったりすることなどが防止されている。
【００３０】
このような状態から、電子黒板５０を使用状態にするには、電子黒板５０の図５中左側のハンドル５４を持って左方向に引っ張っていく。これにより、電子黒板５０を支持しているパネル３０が左方向に引っ張られるため、第１ランナ１２が第１レール１０を左方向に走行していく。
【００３１】
パネル３０が図５中左方向に移動していくと、パネル３０の拘束部材４４に固定されている電源コード４０が左方向に移動していくため、図５（ａ）中左端部の第２ランナ２２がまず左方向に走行する。そして、この第２ランナ２２と隣合う第２ランナ２２の間の電源コード４０に弛みがなくなり張力が発生すると、これを挟持しているフック２２ａを引っ張り、隣の第２ランナが左方向に走行するということを順次繰り返す。これにより、図中左側に位置する第２ランナ２２から順次左方向に移動していく。このようにして、電源線４０が引出されていく。
【００３２】
図４（ａ）に示すように、パネル３０は、第１ランナ１２が第１レール１０の図中左端部まで走行してその移動が規制される所まで、最大移動することができる。このとき、パネル３０は黒板８０の左右方向ほぼ中央位置に位置する。電子黒板５０が所望の使用位置に達したところで、ロック部材７４を図２中仮想線で示す下方向に移動し、教壇６４に密着させることにより、パネル３０を教壇６４に固定し、安定した状態で使用可能とする。
【００３３】
こうして、電子黒板５０には使用状態で、電源線４０を介して給電が行われることとなる。図３及び図４（ａ）に示すように、使用状態においては、各第２ランナ２２間の電源コード４０がフック２２ａから垂れ下がる量は少なくなるが、この垂れ下がった部分の最下端部分は収容部４２に収容されるため、電源線４０の垂れ下がった部分に何かが引っかかったり、誰かが下がったりすることが防止され、安全性が確保されるとともに意匠性を良好にすることができる。
【００３４】
図４に示す使用状態から図５に示す収納状態にするには、まず、ロック部材７４を図２中実線で示す上方に移動し、教壇６４から離隔させることにより、パネル３０を教壇６４から移動自在な状態とする。その後、電子黒板５０の図４中右側のハンドル５４を持って右方向に引っ張るか、図４中左側のハンドルを持って右方向に押すか等して、パネル３０を右方向に移動させると、第１ランナ１２が第１レール１０を右方向に走行していく。
【００３５】
パネル３０が図４中右方向に移動していくと、パネル３０の拘束部材４４に固定されている電源コード４０が右方向に移動していくため、図中左端部の第２ランナ２２がまず右方向に走行する。そして、この第２ランナ２２が当接あるいは接近することにより隣り合う第２ランナ２２を右方向に押圧し、共に右方向に走行する、ということを順次繰り返すことにより、パネル３０の移動に伴って、電源線４０が順次畳込まれて収納され、図５（ａ）に示す状態となる。
【００３６】
以上のように、電源線４０は、第２レール２０に沿って走行可能な第２ランナ２２に吊下げられるため、大掛かりな工事が不要であり、給電可能なパネルを低コストで構成することができる。電源線４０として、既存の絶縁被覆ケーブルを使用することができるため、腐食、断線等のおそれが低く、堅牢性に優れたものとすることができ、メンテナンスも不要とすることができる。また、パネル３０の移動に電源線４０が連動しており、パネル３０の位置に応じて電源線４０が適宜、引出されまたは畳込まれるために、電子黒板５０への給電を確実に行うことができる。
【００３７】
尚、以上の実施形態においては、第１レール１０と第２レール２０とを離隔した位置に設けることにしたが、これらを一体化した構造とすることもできる。
【００３８】
また、以上の実施形態においては、教室に教育用として移動式表示装置を設けた例について説明したが、これに限るものではなく、会議室、展示室等の任意の場所に適用することができることは言うまでもない。
【符号の説明】
【００３９】
１０  第１レール
１２  第１ランナ
２０  第２レール
２２  第２ランナ
３０  パネル
３０ｂ  背面
４０  電源線
４２  収容部
４４  拘束部材
５０  電子黒板（表示装置）
【図１】
2014004689.tif 000003
【図２】
2014004689.tif 000004
【図３】
2014004689.tif 000005
【図４】
2014004689.tif 000006
【図５】
2014004689.tif 000007